(57)【要約】【課題】操作部を回動操作したときに情報の判読が可能な回動式操作部を提供する。【解決手段】操作部本体３１の回動位相が基準回動位相のとき、情報表示部３６の表示位相を基準表示位相として、所定の情報を情報表示部に表示し、回動位相が基準回動位相に対して変位位相だけ変位したとき、表示位相を基準表示位相に対して、変位位相と絶対値は等しく変位位相とは逆の位相に変位させて情報を情報表示部に表示し、一次巻線が機器本体に、一次巻線と電磁的に結合する二次巻線が操作部本体に設けられ、情報表示部用の電力と表示に関するデータを含む交流電力が一次巻線に入力され、二次巻線から出力される情報表示部用電力および表示に関するデータを含む交流電力が整流されて情報表示部用の直流電力となり、二次巻線から出力される情報表示部用電力および表示に関するデータを含む交流電力が復調されて情報表示部用データとなるように構成する。【選択図】図５
2019124462.tif 000002
【特許請求の範囲】
【請求項１】
機器本体に配設され、前後方向に延びる軸心周りに回動可能に構成された操作部本体と、
前記操作部本体の前面に配置され、前記操作部本体の回動に伴って回動するとともに、所定の情報を表示する情報表示部と
を具備する情報表示部付きの回動式操作部であって、
前記操作部本体の回動位相が基準回動位相であるときに、前記情報表示部における表示位相を基準表示位相として、前記所定の情報を前記情報表示部に表示し、
前記操作部本体の回動位相が基準回動位相に対して変位位相だけ変位したとき、前記情報表示部における前記表示位相を、前記基準表示位相に対して、前記変位位相と絶対値は等しく、前記変位位相とは逆の位相に変位させて、前記所定の情報を前記情報表示部に表示するように構成されており、かつ、
一次巻線が前記機器本体に設けられ、前記一次巻線と電磁的に結合する二次巻線が前記操作部本体に設けられているとともに、
前記情報表示部用の電力および表示に関するデータを含む交流電力が前記一次巻線に入力され、
前記二次巻線から出力される前記情報表示部用電力および表示に関するデータを含む交流電力が整流されて前記情報表示部用の直流電力となり、
前記二次巻線から出力される前記情報表示部用電力および表示に関するデータを含む交流電力が復調されて前記情報表示部用データとなるように構成されていること
を特徴とする、情報表示部付きの回動式操作部。
【発明の詳細な説明】
【技術分野】
【０００１】
本発明は、回動式操作部に関し、詳しくは、加熱部の火力などの情報を表示する情報表示部付きの回動式操作部に関する。
【背景技術】
【０００２】
加熱調理器には、加熱部の火力を指令する回動式の操作部と加熱部の火力を表示する情報表示部（火力表示部）を備えた加熱調理器がある（特許文献１参照）。
【０００３】
この特許文献１の加熱調理器においては、情報表示部（火力表示部）が、回動式の操作部が配置された操作パネルにおける、該回動式の操作部の周辺（上方）に配置されており、情報表示部（火力表示部）を目視することにより、加熱部の火力（加熱量の大きさ）を知ることができるように構成されている。
【０００４】
ところで、近年は、回動式の操作部によって操作される加熱調理器などの機器の高機能化が進んでおり、回動式の操作部の操作に伴い表示すべき情報の量が増大するに至っている。
【０００５】
そのため、操作部周辺の操作パネルに占める情報表示部の面積を大きくしたり、情報表示用の文字やピクトなどの大きさを小さくしたりして、多くの情報を表示できるようにすることが必要になっている。
【０００６】
しかしながら、情報表示部の面積を大きくすると、操作パネルの面積を広くすることが必要になり、加熱調理器の設計に影響するという問題点がある。
【０００７】
また、情報表示用の文字やピクトなどの大きさを小さくすると、情報表示部に表示される情報の判読が困難になり、場合によっては、機器の誤使用の原因になるという問題点がある。
【０００８】
また、回動式操作部に情報を表示した場合、操作部の回動操作により、表示されるべき情報が回動することになるため、表示される情報の判読が困難になり、場合によっては、機器の誤使用の原因になるという問題点がある。
【先行技術文献】
【特許文献】
【０００９】
【特許文献１】特開２００９−２２２２６７号公報
【発明の概要】
【発明が解決しようとする課題】
【００１０】
本発明は、上記実情に鑑みてなされたものであり、操作部を回動操作したときにも情報の判読を容易に行うことが可能な、情報表示部付きの回動式操作部を提供することを目的とする。
【課題を解決するための手段】
【００１１】
上記の目的を達成するために、本発明にかかる情報表示部付きの回動式操作部は、
機器本体に配設され、前後方向に延びる軸心周りに回動可能に構成された操作部本体と、
前記操作部本体の前面に配置され、前記操作部本体の回動に伴って回動するとともに、所定の情報を表示する情報表示部と
を具備する情報表示部付きの回動式操作部であって、
前記操作部本体の回動位相が基準回動位相であるときに、前記情報表示部における表示位相を基準表示位相として、前記所定の情報を前記情報表示部に表示し、
前記操作部本体の回動位相が基準回動位相に対して変位位相だけ変位したとき、前記情報表示部における前記表示位相を、前記基準表示位相に対して、前記変位位相と絶対値は等しく、前記変位位相とは逆の位相に変位させて、前記所定の情報を前記情報表示部に表示するように構成されており、かつ、
一次巻線が前記機器本体に設けられ、前記一次巻線と電磁的に結合する二次巻線が前記操作部本体に設けられているとともに、
前記情報表示部用の電力および表示に関するデータを含む交流電力が前記一次巻線に入力され、
前記二次巻線から出力される前記情報表示部用電力および表示に関するデータを含む交流電力が整流されて前記情報表示部用の直流電力となり、
前記二次巻線から出力される前記情報表示部用電力および表示に関するデータを含む交流電力が復調されて前記情報表示部用データとなるように構成されていること
を特徴としている。
【発明の効果】
【００１２】
本発明にかかる情報表示部付きの回動式操作部は、操作部本体の回動位相が基準回動位相であるときに、情報表示部における表示位相を基準表示位相として、所定の情報を情報表示部に表示し、操作部本体の回動位相が基準回動位相に対して変位位相だけ変位したとき、情報表示部における表示位相を、基準表示位相に対して、変位位相と絶対値は等しく変位位相とは逆の位相に変位させて、所定の情報を情報表示部に表示するように構成されており、かつ、一次巻線を機器本体に設け、一次巻線と電磁的に結合する二次巻線を操作部本体に設けるように構成し、情報表示部用の電力および表示に関するデータを含む交流電力を一次巻線に入力するとともに、二次巻線から出力される情報表示部用電力および表示に関するデータを含む交流電力を整流して情報表示部用の直流電力とし、二次巻線から出力される情報表示部用電力および表示に関するデータを含む交流電力を復調して情報表示部用データとなるように構成されているので、操作部本体が回動操作されたときにも、情報表示部において表示される情報の天地（情報の向き）が、操作部本体の位相が基準回動位相（回動操作されないときの位相）である場合の天地と同じとなり、情報を容易かつ確実に認識することが可能な、情報表示部付きの回動式操作部を提供することができるようになるとともに、一次巻線と電磁的に結合する二次巻線とによって表示部用電力および表示に関するデータが機器本体から情報表示部に送られるので、非接触で表示部用電力および表示に関するデータを伝送することが可能になり、信頼性が高い情報表示部付きの回動式操作部を提供することができるようになる。
【００１３】
これに対し、操作部本体の回動位相が基準回動位相に対して変位位相だけ変位したときに、情報表示部における表示位相を、基準表示位相に対して、変位位相と絶対値は等しく変位位相とは逆の位相に変位させることを行わない場合には、操作部本体が回動操作されたときに情報表示部において表示される情報の天地が操作部本体の回動操作に伴って回動することになるので、表示される情報を正確に認識することが困難になり、機器の誤使用の原因になる場合があるが、本発明によれば、このような事態を招くことを回避することができる。
【図面の簡単な説明】
【００１４】
【図１】本発明の一実施形態にかかる情報表示部付きの回動式操作部を備えるガスコンロの外観構成を示す図である。
【図２】本発明の一実施形態にかかる情報表示部付きの回動式操作部を備えるガスコンロに用いられているロータリーエンコーダの動作を説明するためのパルス波形を示す図である。
【図３】本発明の一実施形態にかかる情報表示部付きの回動式操作部を備えるガスコンロのバーナ火力操作部を示す図であり、（ａ）はバーナ火力操作部が使用されていない状態を示す図、（ｂ）は、バーナ火力操作部が突出して使用可能になった状態を示す図である。
【図４】本発明の一実施形態にかかる情報表示部付きの回動式操作部を備えるガスコンロのバーナ火力操作部が使用されていない状態のバーナ火力操作部の要部を示す図であって、（ａ）は正断面図、（ｂ）は側断面図である。
【図５】本発明の一実施形態にかかる情報表示部付きの回動式操作部を備えるガスコンロのバーナ火力操作部が使用可能になった状態のバーナ火力操作部の要部を示す図であり、（ａ）は正断面図、（ｂ）は側断面図である。
【図６】本発明の一実施形態にかかる情報表示部付きの回動式操作部を備えるガスコンロのコンロバーナ火力操作部に設けられた情報表示部の表示の一例を示す図である。
【図７】本発明の一実施形態にかかる情報表示部付きの回動式操作部を備えるガスコンロのグリル火力操作部に設けられた情報表示部の表示の他の例を示す図である。
【図８】本発明の一実施形態にかかる情報表示部付きの回動式操作部を備えるガスコンロのグリル火力操作部に設けられた情報表示部の表示のさらに他の例を示す図である。
【発明を実施するための形態】
【００１５】
以下、本発明の実施形態を示して、その特徴とするところをさらに詳しく説明する。
【００１６】
［実施形態］
図１は、本発明の一実施形態にかかる情報表示部付きの回動式操作部を備えるガスコンロ（ガスドロップインコンロ）（加熱調理器）の外観構成を示す図である。
図１に示すように、このガスコンロ（加熱調理器）は、コンロ用の加熱部として天面にコンロバーナを備え、グリル４用の加熱部として、特に図示しないグリル上バーナおよびグリル下バーナを備えている。
【００１７】
ガスコンロ（加熱調理器）の前面パネル（操作パネル）３２には、上述の各加熱部の火力を調節するために、使用者が操作する操作部として、三つのコンロバーナ（標準バーナ１ａ、高火力バーナ１ｂ、小バーナ１ｃ）と、それらの火力を調節するための三つのコンロバーナ火力調節用操作部２１（標準バーナ用操作部２１ａ、高火力バーナ用操作部２１ｂ、小バーナ用操作部２１ｃ）と、グリル上バーナおよびグリル下バーナの火力を調節するためのグリルバーナ火力調節用操作部２２とが設けられている（図１）。なお、コンロバーナ火力調節用操作部２１（２１ａ、２１ｂ、２１ｃ）と、一つのグリルバーナ火力調節用操作部２２が本発明の実施形態にかかる情報表示部付きの回動式操作部となる。
【００１８】
この実施形態では、各回動式操作部２１（２１ａ、２１ｂ、２１ｃ）および２２は、グリルバーナ火力調節用操作部２２においては、情報表示部が異なることを除いて、同様の構成とされている。以下説明を行う。
【００１９】
なお、この実施形態においては、操作部（回動式操作部２１，２２）の位置に対して通常使用者が位置する側を前方として説明を行う。
【００２０】
本発明の実施形態にかかる情報表示部付きの回動式操作部である、コンロバーナ火力調節用操作部２１およびグリルバーナ火力調節用操作部２２は、いずれも、加熱部を使用しない状態で、回動式操作部（２１，２２）の操作部本体３１の前面３１ａと前面パネル（操作パネル）３２の前面３２ａとが面一となる状態に、操作部本体３１を機器本体１０内に後退させている（図３（ａ）、図４）。なお、操作部本体３１を機器本体１０内に後退させた状態は、スイッチ３８（図４、図５）により検出され、加熱部が加熱停止状態を維持する。
【００２１】
コンロバーナ火力調節用操作部２１およびグリルバーナ火力調節用操作部２２（操作部本体３１）は、いずれも、図３（ａ）の状態で、その前面３１ａを使用者の手指による操作力にて後方に押し込んだ後、手指による操作力（押圧力）を解除することで、操作部本体３１が前面パネル（操作パネル）から前方に突出して、加熱部を使用する状態になり、この状態で操作部本体を回動操作することで各加熱部の火力調節が行われる（図３（ｂ）、図５）。
なお、操作部本体３１を機器本体内から前面パネル（操作パネル）３２から前方に突出させた状態は、スイッチ３８（図４、図５）により検出され、加熱部が加熱を行う状態となる。
【００２２】
なお、図３（ｂ）の操作部本体３１が前面パネル（操作パネル）３２から前方に突出した状態で、操作部本体３１の前面３１ａを使用者の手指による操作力にて後方に押し込むと図３（ａ）の操作部本体３１の前面３１ａと前面パネル（操作パネル）３２の前面３２ａとが面一となる状態に、操作部本体３１を機器本体１０内に後退させた状態に至り、図３（ａ）の操作部本体３１の前面３１ａと前面パネル（操作パネル）３２の前面３２ａとが面一となる状態は、手指による操作力を解除した後も、ラッチ機構（図示せず）により維持される。
【００２３】
操作部本体３１を回動操作することで加熱部の火力調節が行われる点について、以下、説明を行う。
【００２４】
この実施形態の情報表示部付きの回動式操作部においては、機器本体１０の内部に本体側電装基板３４が設けられており、ロータリーエンコーダ３３は、本体側電装基板３４に止着されている。
また、ロータリーエンコーダ３３を操作する操作軸３５が、ロータリーエンコーダ３３から前方向に配置されている（図４、図５）。
【００２５】
ここで用いられているロータリーエンコーダ３３はアブソリュート型であり、Ａ相からＤ相の４相の出力を備え、Ａ相からＤ相の４相の出力は、制御部（図示せず）に入力される。
【００２６】
そして、操作軸３５（図４、図５）が回動操作されると、回動操作に伴う操作軸３５の位相に応じて、Ａ相からＤ相の４相の出力が変化し、制御部は、Ａ相からＤ相の４相の出力によって、操作軸３５の回動位相、つまり、操作軸３５の回動角度θを判別する。
【００２７】
換言すると、ロータリーエンコーダ３３は、Ａ相が最上位ビット、Ｄ相が最下位ビットとなる４ビットの二進数の信号を出力し、制御部はこの４ビットの二進数によって操作軸３５の回動位相（回動角度θ）を判別する。
【００２８】
この実施形態における操作軸３５の回動角度θと、Ａ相からＤ相の４相の出力との関係を、図２に例示する。なお、この例では、操作軸３５を回動操作した場合の、それぞれの回動角度θと、状態Ｘとを、図２に示すように関連付けられている。
【００２９】
すなわち、状態Ｘが１のとき操作軸３５の回動角度θが０゜で、状態Ｘが１６のとき操作軸３５の回動角度θが３３７．５°（状態Ｘが１７のとき、操作軸３５の回動角度θが３６０゜（＝０゜））となるように関連付けられている。
【００３０】
また、各ロータリーエンコーダ３３の操作軸３５には、対応する操作部本体３１が、操作部本体３１の前後動を許容する状態で接続されており、操作軸３５は、対応する操作部本体３１とともに回動するように構成されている。
【００３１】
したがって、ロータリーエンコーダ３３は対応する操作部本体３１の回動操作に伴って上述の４ビットの二進数の信号を出力する。つまり、各ロータリーエンコーダ３３はその４つの出力端子から上述した４ビットの二進数の信号を出力することになり、この４ビットの二進数の信号に基づいて制御部は図示しない火力調節部を制御し、対応する加熱部（コンロバーナ，グリルバーナ）への燃料供給量、即ち火力を調節する。
【００３２】
さらに、操作部本体３１の前面３１ａには、加熱部の火力などの情報を表示する情報表示部３６が配置されており、この情報表示部３６は、操作部本体３１の回動とともに回動する受信部３７に止着されている。したがって、情報表示部３６は操作部本体３１の回動とともに回動する。
【００３３】
つまり、この実施形態では、操作部（コンロバーナ火力調節用操作部２１（２１ａ、２１ｂ、２１ｃ）、グリルバーナ火力調節用操作部２２）は、操作部本体３１の前面３１ａに配置されて操作部本体３１の回動とともに回動し情報を表示する情報表示部３６（図４、図５）を具備する、情報表示部付きの回動式操作部として構成されている。
なお、情報表示部３６における表示部用電力および表示に関するデータは、以下のように、本体側電装基板３４から送られる。
【００３４】
機器本体１０が備える本体側電装基板３４には、表示部用電力および表示に関するデータを送出するための一次巻線４１が配設されており、操作部本体３１が備える受信部３７は、表示部用電力および表示に関するデータを受信するための、一次巻線４１と電磁的に結合する二次巻線４２を備えている。
【００３５】
なお、本実施形態では、一次巻線４１および二次巻線４２はともに円環状に形成されており、一次巻線４１と二次巻線４２との間に間隙を存した状態で、一次巻線４１と二次巻線４２とが同心円となるような態様で配設されている。
したがって、操作部本体３１を回動させた場合にも、一次巻線４１と二次巻線４２とはお互いに干渉せず、一次巻線４１と二次巻線４２とは接触することはない。
【００３６】
また、操作部本体３１が前面パネル（操作パネル）３２から前方に突出した状態において一次巻線４１と二次巻線４２との電磁的な結合が良好に保たれるように、一次巻線４１と二次巻線４２とが、操作部本体３１が前面パネル（操作パネル）３２から前方に突出した状態において、互いに近接するように構成されている。
【００３７】
なお、この実施形態では、一次巻線４１および二次巻線４２はともに円環状に形成されているが、一次巻線４１と二次巻線４２とが電磁的に結合するものであれば、一次巻線４１および二次巻線４２の両方あるいはその一方が円環状に形成されていなくてもよい。
【００３８】
上述のように、一次巻線４１と二次巻線４２とは電磁的に結合されており、機器本体１０が備える本体側電装基板３４から出力される表示部用電力および表示に関するデータとしての交流電力が、一次巻線４１に入力され、表示部用電力および表示に関するデータを含む交流電力が、二次巻線４２から出力される。
【００３９】
なお、表示に関するデータによって上記表示部用電力としての交流電力を変調して、表示部用電力および表示に関するデータを含む交流電力としてもよく、また、上記表示部用電力としての交流電力に、上記表示部用電力としての交流電力の周波数より高い周波数のデータ搬送用電力を、上記表示部用電力としての交流電力に重畳して、電力および表示に関するデータを含む交流電力としてもよい。
【００４０】
二次巻線４２から出力された表示部用電力および表示に関するデータを含む交流電力は、受信部３７に入力された後、受信部３７にて整流されて表示部用直流電力となる。
【００４１】
また、二次巻線４２から出力された表示部用電力および表示に関するデータを含む交流電力は、受信部３７に入力された後、受信部３７にて復調されて表示部用データとなる。
【００４２】
操作部本体３１の前面には、操作部本体３１の回動位相をしめす位相基準マーク３９が表示されている。位相基準マーク３９は、操作部本体３１の前面３１ａに凹凸を形成することにより表示されている。
【００４３】
そして、この実施形態では、位相基準マーク３９が操作部本体３１の前面３１ａにおける最上部（時計の１２時における短針が指し示す位置）に位置するとき、操作部本体３１の回動位相が基準回動位相であるものとする。
【００４４】
そして、操作部本体３１の回動位相が基準回動位相であるときに、情報表示部３６における表示位相を基準表示位相として情報表示部３６で情報を表示する。すなわち、情報表示部３６における表示の天地（上下）を、位相基準マーク３９の存在している側を天（上）とし、位相基準マークの存在していない側（存在している側とは反対側）を地（下）として、情報を表示する（図６（ａ）、図７（ａ）、図８（ａ））。
【００４５】
そして、操作部本体３１の回動位相が基準回動位相に対して変位位相だけ変位したとき、情報表示部３６における表示位相を、基準表示位相に対して、変位位相と絶対値は等しく、変位位相とは逆の位相に変位させて、情報表示部３６で情報を表示する。
【００４６】
次に、図６を用いて、回動式操作部２１に設けられた、操作部本体３１の回動操作に伴い回動する情報表示部３６により情報を表示する場合の、情報の表示の態様について説明する。
【００４７】
（ａ）状態Ｘ＝１、回動角度θ＝０°で、操作部本体３１の回動位相が基準回動位相のとき
情報表示部３６における表示の天地（上下）を、位相基準マーク３９の存在している側を天（上）とし、位相基準マーク３９の存在している側の反対側を地（下）として、情報表示部３６に情報を表示する（図６（ａ））。
【００４８】
（ｂ）状態Ｘ＝２、回動角度θ＝２２．５°で、操作部本体３１の回動位相が２２．５°のとき
情報表示部３６における表示位相を、基準表示位相に対して、−２２．５°だけ変位させて、情報表示部３６に情報を表示する（図６（ｂ））。
【００４９】
（ｃ）状態Ｘ＝５、回動角度θ＝９０°で、操作部本体３１の回動位相が９０°のとき
情報表示部３６における表示位相を、基準表示位相に対して、−９０°だけ変位させて、情報表示部３６に情報を表示する（図６（ｃ））。
【００５０】
（ｄ）状態Ｘ＝９、回動角度θ＝１８０°で、操作部本体３１の回動位相が１８０°のとき
情報表示部３６における表示位相を、基準表示位相に対して、−１８０°だけ変位させて、情報表示部３６に情報を表示する（図６（ｄ））。
【００５１】
（ｅ）状態Ｘ＝１３、回動角度θ＝２７０°で、操作部本体３１の回動位相が２７０°のとき
情報表示部３６における表示位相を、基準表示位相に対して、−２７０°だけ変位させて、情報表示部３６に情報を表示する（図６（ｅ））。
【００５２】
（ｆ）状態Ｘ＝１６、回動角度θ＝３３７．５°で、操作部本体３１の回動位相が３３７，５°のとき
情報表示部３６における表示位相を、基準表示位相に対して、−３３７．５°だけ変位させて、情報表示部３６に情報を表示する（図６（ｆ））。
【００５３】
本発明の情報表示部付きの回動式操作部においては、操作部本体３１の回動位相が基準回動位相に対して変位位相だけ変位したとき、情報表示部３６における表示位相を、基準表示位相に対して、変位位相と絶対値は等しく、変位位相とは逆の位相に変位させた情報表示部３６に情報を表示するようにしているので、操作部本体３１が回動操作されたときにも、情報表示部３６において表示される情報の天地が、操作部本体３１の位相が基準回動位相（つまり回動操作されないときの位相）であるときの天地と同じになり、情報の判読、識別を容易に行うことが可能になる。
【００５４】
これに対し、操作部本体３１の回動位相が基準回動位相に対して変位位相だけ変位したとき、情報表示部３６における表示位相を、基準表示位相に対して、変位位相と絶対値は等しく変位位相とは逆の位相に変位させることを行わない場合には、操作部本体３１が回動操作されたときに情報表示部３６において表示される情報の天地が、操作部本体３１の回動操作に伴い回動することになるので、表示される情報の判読、識別が困難になり、場合によっては、機器の誤使用の原因になるおそれが生じる。
【００５５】
したがって、本発明によれば、操作部本体３１を回動操作した場合にも、上述のような情報の判読、識別が困難になることを防止して、情報表示部において、信頼性の高い情報の表示を行うことが可能になる。
【００５６】
また、この実施形態において、ガスコンロ（加熱調理器）は、上述の情報表示部付きの回動式操作部を備えており、操作部本体３１の操作によって該加熱調理器が備える加熱部の火力が調節され、情報表示部３６に、加熱部の火力に関する情報が表示されるように構成されている。
それゆえ、使用者は、情報表示部３６により、加熱の状態を正確に認識しながら火力調節を行うことができる。
【００５７】
次に、回動式操作部（コンロバーナ火力調節用操作部２１，グリルバーナ火力調節用操作部２２）の情報表示部３６への表示の態様について説明する。
（１）情報表示部３６には、例えば、上述のように（図６（ａ）〜（ｆ）参照）、加熱部（コンロバーナ）の火力に関する情報を棒グラフで表示することができる。火力を棒グラフによって表示するようにした場合、使用者が、火力に関する情報を感覚的に把握することが可能になる。
【００５８】
（２）また、情報表示部３６には、例えば図７（ａ）〜（ｄ）に示すように、加熱部（グリルバーナ）の火力に関する情報を濃淡および文字によって表示することができる。
この場合、火力に関する情報が、情報表示部３６の濃淡によって表示されるので、使用者は火力に関する情報を感覚的、直感的に把握することができる。また、火力に関する情報が、文字によっても表示されるので、文字による詳細情報で、より正確な情報を得ることができる。
ここで、図７（ａ）〜（ｄ）を参照しつつ、グリルバーナ火力調節用操作部２２に設けられた情報表示部３６の表示の態様について説明する。
【００５９】
（ａ）状態Ｘ＝１、回動角度θ＝０°で、操作部本体３１の回動位相が基準回動位相のとき
情報表示部３６における表示の天地（上下）を、存在している側を天（上）とし、位相基準マークの存在していない側（存在している側の反対側）を地（下）として、火力に関する情報を表示する（図７（ａ））。
なお、図７に示すグリルバーナ火力調節用操作部２２が備える情報表示部３６には、加熱部の火力に関する情報を、情報表示部３６の濃淡および文字によって表示する。
【００６０】
具体的には、グリル用の加熱部が備えるグリル上バーナを「グリル上」、グリル下バーナを「グリル下」とし、それぞれの加熱の強弱を、図７（ａ）に示すように、「グリル上：強」、「グリル下：強」と文字で表示するとともに、それぞれの表示の濃淡で、加熱の強弱を表示する。
【００６１】
このように、グリルバーナ火力調節用操作部２２の情報表示部３６に加熱部の火力に関する情報が情報表示部３６の濃淡および文字によって表示されるので、使用者が、火力に関する情報を感覚的、視覚的に把握できるとともに、文字による具体的で明確な情報を得ることができる。
【００６２】
（ｂ）状態Ｘ＝５、回動角度θ＝９０°で、操作部本体３１の回動位相が９０°のとき
情報表示部３６における表示位相を、基準表示位相に対して、−９０°だけ変位させて、情報表示部３６に情報を表示する（図７（ｂ））。加熱の強弱は、そのときの加熱の状態に対応して表示される。
【００６３】
（ｃ）状態Ｘ＝９、回動角度θ＝１８０°で、操作部本体３１の回動位相が１８０°のとき
情報表示部３６における表示位相を、基準表示位相に対して、−１８０°だけ変位させて、情報表示部３６に情報を表示する（図７（ｃ））。加熱の強弱は、そのときの加熱の状態に対応して表示される。
【００６４】
（ｄ）状態Ｘ＝１３、回動角度θ＝２７０°で、操作部本体３１の回動位相が２７０°のとき、
情報表示部３６における表示位相を、基準表示位相に対して、−２７０°だけ変位させて情報表示部３６で情報を表示する（図７（ｄ））。加熱の強弱は、そのときの加熱の状態に対応して表示される。
【００６５】
図７（ａ）〜（ｄ）に示すように、上バーナを「グリル上」、下バーナを「グリル下」として、加熱の強弱を表示の濃淡で表示するとともに、文字でも表示するようにしているので、「グリル上」と、「グリル下」の加熱の強弱の状態を感覚的、直感的に把握し、かつ、文字による具体的な情報を得ることが可能になり、有意義である。
【００６６】
（３）また、情報表示部３６には、例えば図８（ａ）〜（ｄ）に示すように、加熱部（グリルバーナ）の火力に関する情報を数字によって表示するようにしてもよい。
【００６７】
このように数字で表示するようにした場合も、操作部本体３１の回動位相が基準回動位相に対して変位位相だけ変位したとき、情報表示部３６における表示位相を、基準表示位相に対して、変位位相と絶対値は等しく変位位相とは逆の位相に変位させて情報表示部で情報を表示するのは、上述の実施形態で説明した通りである。
【００６８】
この構成の場合、火力が数字によって表示されるので、使用者が、まぎれなく火力に関する情報を把握することができる。
【００６９】
［変形例］
上述の実施形態では、ドロップインコンロに本発明にかかる情報表示部付きの回動式操作部を適用する場合について例示したが、本発明の情報表示部付きの回動式操作部は、テーブルコンロにも適用することが可能である。
【００７０】
本発明は、さらにその他の点においても上記実施形態や変形例に限定されるものではなく、発明の範囲内において、種々の応用、変形を加えることが可能である。
【符号の説明】
【００７１】
１ａ      標準バーナ
１ｂ      高火力バーナ
１ｃ      小バーナ
４        グリル部
９        温度センサ（鍋底温度センサ）
１０      機器本体
２１      コンロバーナ火力調節用操作部（回動式操作部）
２１ａ    標準バーナ操作部
２１ｂ    高火力バーナ操作部
２１ｃ    小バーナ操作部
２２      グリルバーナ火力調節用操作部（回動式操作部）
３１      操作部本体
３１ａ    操作部本体の前面
３２      前面パネル（操作パネル）
３２ａ    前面パネルの前面
３３      ロータリーエンコーダ
３４      本体側電装基板
３５      操作軸
３６      情報表示部
３７      受信部
３８      スイッチ
３９      位相基準マーク
４１      一次巻線
４２      二次巻線
５１      五徳
θ        回動角度
【図１】
2019124462.tif 000003
【図２】
2019124462.tif 000004
【図３】
2019124462.tif 000005
【図４】
2019124462.tif 000006
【図５】
2019124462.tif 000007
【図６】
2019124462.tif 000008
【図７】
2019124462.tif 000009
【図８】
2019124462.tif 000010